(57)【要約】【課題】磁石の磁気力の面白さを学び磁石の種々の用途を考える教材や玩具として好適な磁気軸受装置を提供する。【解決手段】縦向きに配置されたロータ１４のロータ回転軸１６の上下端部のうちの少なくとも一方端部を磁気力によって回転自在に支持する磁気軸受装置２２において、ロータ回転軸１６の一方端部に設けられ、ロータ１４と共に回転する回転側磁石３０と、ロータ回転軸１６の軸芯上に配置され、回転側磁石３０を非接触で収納可能な縦向き配置の円筒管３２と、円筒管３２の周りを連続又は不連続に囲む軸受側磁石３４と、を備え、回転側磁石３０と軸受側磁石３４との対向面の極性が異極性である。【選択図】図１
0003202615.tif 000002
【実用新案登録請求の範囲】
【請求項１】
縦向きに配置された回転体の回転軸の上下端部のうちの少なくとも一方端部を磁気力によって回転自在に支持する磁気軸受装置において、
前記回転軸の一方端部に設けられ、前記回転体と共に回転する磁性体と、
前記回転軸の軸芯上に配置され、前記磁性体を非接触で収納可能な縦向き配置の円筒管と、
前記円筒管の周りを連続又は不連続に囲む軸受側磁石と、を備えたことを特徴とする磁気軸受装置。
【請求項２】
縦向きに配置された回転体の回転軸の上下端部のうちの少なくとも一方端部を磁気力によって回転自在に支持する磁気軸受装置において、
前記回転軸の一方端部に設けられ、前記回転体と共に回転する回転側磁石と、
前記回転軸の軸芯上に配置され、前記回転側磁石を非接触で収納可能な縦向き配置の円筒管と、
前記円筒管の周りを連続又は不連続に囲む軸受側磁石と、を備え、
前記回転側磁石と前記軸受側磁石との対向面の極性が異極性であることを特徴とする磁気軸受装置。
【請求項３】
前記軸受側磁石はリング形状である請求項１又は２に記載の磁気軸受装置。
【請求項４】
前記軸受側磁石は前記円筒管の上下端部に一対設けられる請求項1〜３の何れか１項に記載の磁気軸受装置。
【請求項５】
前記軸受側磁石は、前記円筒管の周りを不連続に囲む複数の磁石片である請求項１、２又は４に記載の磁気軸受装置。
【請求項６】
前記磁性体は球形状である請求項１、３〜５の何れか１項に記載の磁気軸受装置。
【請求項７】
前記回転側磁石は円板形状である請求項２〜５の何れか１項に記載の磁気軸受装置。
【請求項８】
前記回転側磁石は球形状である請求項２〜５の何れか１項に記載の磁気軸受装置。
【考案の詳細な説明】
【技術分野】
【０００１】
本考案は磁気軸受装置に係り、特には磁石を利用した科学的な教材や玩具として利用され、磁気力の応用を学ぶのに好適な磁気軸受装置に関する。
【背景技術】
【０００２】
磁石の磁気力である吸引力や反発力を利用した教材や玩具は従来から知られており、磁石を利用した科学的な教材や玩具を通して磁気力について子供たちが学ぶのに好適である。
【０００３】
例えば、特許文献１には、複数個のブロック体を、該ブロック体に内蔵された磁石の吸引力を利用して積み上げて遊んだり、所望の姿勢に連結したりできるようにし、さらには簡単に分離して別の連結状態にして遊ぶブロック玩具が開示されている。
【０００４】
また特許文献２には、一方に磁気又は磁石のＮ極やＳ極を平面的又は立体的に配置し、他方に磁気又は磁石のＮ極やＳ極を前者と同じ又は逆にあるいはランダムに平面的又は立体的に配置することによって、相互間の吸引、反発を利用して物体の一方を可動的に保持することで空間に浮き上がらせるようにした磁石を利用した製品が開示されている。
【先行技術文献】
【特許文献】
【０００５】
【特許文献１】特開２００５−２５３４９６号公報
【特許文献２】特開２００７−１８５４５０号公報
【考案の概要】
【考案が解決しようとする課題】
【０００６】
しかしながら、特許文献１及び２の磁石を利用したものは、Ｎ極とＳ極のように異極同士は吸引しあい、Ｎ極とＮ極又はＳ極とＳ極の同極同士は反発しあうことを利用したもので、その動作自体は比較的単純である。したがって、どのような動作を行うかは容易に予想がつくので、磁石の面白さを発見したり、磁石の応用を学んだりするには面白味がなく、飽きがきやすい。
【０００７】
即ち、どのような動作となるかの予想が立たない動作を磁石によって観察することがきるならば、教材や玩具としての面白味を増すことができる。更には、予想が立たない磁石の動作を具体的にどのように応用できるかを知ることは、磁石の種々の用途を考える教材や玩具として好適である。
【０００８】
本考案はこのような事情に鑑みてなされたもので、磁石の磁気力の面白さを学び磁石の種々の用途を考える教材や玩具として好適な磁気軸受装置を提供することを目的とする。
【課題を解決するための手段】
【０００９】
本考案の磁気軸受装置は上記目的を達成するために、縦向きに配置された回転体の回転軸の上下端部のうちの少なくとも一方端部を磁気力によって回転自在に支持する磁気軸受装置において、前記回転軸の一方端部に設けられ、前記回転体と共に回転する磁性体と、前記回転軸の軸芯上に配置され、前記磁性体を非接触で収納可能な縦向き配置の円筒管と、前記円筒管の周りを連続又は不連続に囲む軸受側磁石と、を備えたことを特徴とする。
【００１０】
ここで、磁性体とは、磁石につくことのできる金属を言い、例えば鉄、ニッケル、コバルト、ステンレス等を挙げることができる。
【００１１】
本考案によれば、磁気軸受装置を上記の如く構成したので、回転軸に設けられた磁性体を円筒管の外部から内部に収納していくと、軸受側磁石により円筒管内に形成される磁気力によって磁性体を円筒管内において浮遊状態で停止させることができる。
【００１２】
この状態で回転体を回転させると、回転体は磁気軸受装置の磁気力によって回転自在に支持されて回転する。この場合、回転体の回転バランスが崩れて回転軸が傾いても、磁性体が円筒管内に収納されていることによって大きくバランスを崩すことがないので、回転体を安定して回転させるための磁気軸受装置を構築できる。
【００１３】
また、本考案の磁気軸受装置は上記目的を達成するめに、縦向きに配置された回転体の回転軸の上下端部のうちの少なくとも一方端部を磁気力によって回転自在に支持する磁気軸受装置において、前記回転軸の一方端部に設けられ、前記回転体と共に回転する回転側磁石と、前記回転軸の軸芯上に配置され、前記回転側磁石を非接触で収納可能な縦向き配置の円筒管と、前記円筒管の周りを連続又は不連続に囲む軸受側磁石と、を備え、前記回転側磁石と前記軸受側磁石との対向面の極性が異極性であることを特徴とする。
【００１４】
本考案は、回転軸に磁性体の代わりに磁石を設けるとともに回転側磁石と軸受側磁石との対向面の極性が異極性であるように配置した場合であり、回転側磁石を円筒管の外部から内部に収納していくと、回転側磁石と軸受側磁石とによる磁力線で形成される吸引力と反発力とがつり合う円筒管内の高さ位置において回転側磁石を浮遊状態で停止させることができる。
【００１５】
この状態で回転体を回転させると、回転体は磁気軸受装置の磁気力によって回転自在に支持されて回転する。この場合、回転体の回転バランスが崩れて回転軸が傾いても、回転側磁石が円筒管内に収納されていることによって大きくバランスを崩すことがないので、回転体を安定して回転させるための磁気軸受装置を構築できる。
【００１６】
したがって、本考案の磁気軸受装置を回転体の軸受として用いることで、回転体の回転による軸受部分の摩耗がほとんどない軸受を構成することができるので、磁石の磁気力の面白さを学び磁石の種々の用途を考える教材や玩具として好適な磁気軸受装置を提供することができる。
【００１７】
ここで、円筒管の周りを連続又は不連続に囲む軸受側磁石とは、例えば軸受側磁石の中心部に連続又は不連続に形成された円筒状の空洞部に円筒管の下部が挿入されている場合と、円筒管と略同径な円筒状の空洞部の上に円筒管が乗った状態で設けられている場合の両方を含む。
【００１８】
本考案の態様において、前記軸受側磁石はリング形状であることが好ましい。
これは、軸受側磁石の態様の一つであり、中心貫通孔を有するリング状の磁石の中心貫通孔に円筒管を立設させることにより、回転側磁石を浮遊状態で停止させる空洞部を形成したものである。この場合、リング状の磁石を円筒管の上下端部に一対設けることが一層好ましい。
【００１９】
本考案の態様において、前記軸受側磁石は、前記円筒管の周りを不連続に囲む複数の磁石片であることが好ましい。
これは、軸受側磁石の別態様であり、上記したリング状の磁石ではなく、円筒管の周りを不連続に囲む複数の磁石片であっても、回転側磁石を円筒管内において浮遊状態で停止させることができる。
【００２０】
本考案の態様において、前記磁性体は球形状であることが好ましい。磁性体を円板形状のような板形状にすると、軸受側磁石によって円筒管内に形成される磁気力によって磁性体が立った状態で浮遊状態を形成してしまい、回転が安定しにくいからである。
【００２１】
本考案の態様において、前記回転側磁石は円板形状又は球形状であることが好ましい。回転側磁石の場合には、板形状であっても磁性体のように軸受側磁石による磁気力で回転側磁石が立った状態になることはない。したがって、回転側磁石の形状を円板形状又は球形状にすれば、回転体が回転する際に回転側磁石が円筒管内に接触しても接触抵抗を小さくでき、回転体をスムーズに回転させることができる。
【考案の効果】
【００２２】
本考案によれば、回転軸に磁性体を設けた場合には、軸受側磁石により円筒管内に形成される磁気力によって磁性体を円筒管内において浮遊状態で停止させることができる。
また、回転軸に回転側磁石を設けた場合には、回転側磁石と軸受側磁石との吸引力と反発力とがつり合う円筒管内の高さ位置において回転側磁石を浮遊状態で停止させることができる。
【００２３】
したがって、本考案の磁気軸受装置を回転体の軸受として用いることで、回転体の回転による軸受部分の摩耗がほとんどない軸受を構成することができるので、磁石の磁気力の面白さを学び磁石の種々の用途を考える教材や玩具として好適な磁気軸受装置を提供することができる。
【図面の簡単な説明】
【００２４】
【図１】本考案の磁気軸受装置を直流モータの軸受として組み込んだ第１の実施の形態の全体構成図
【図２】磁気軸受装置の軸受側磁石の態様を説明する説明図
【図３Ａ】磁気軸受装置の軸受側磁石の別態様及び回転側磁石の態様を説明する説明図
【図３Ｂ】図３Ａを上から見た図
【図４】磁気軸受装置の回転側磁石の別態様を説明する説明図
【図５】本考案の磁気軸受装置を直流モータの軸受として組み込んだ第２の実施の形態の全体構成図
【図６】本考案の磁気軸受装置を直流モータの軸受として組み込んだ第３の実施の形態の全体構成図
【考案を実施するための形態】
【００２５】
以下添付図面にしたがって、本考案に係る磁気軸受装置の好ましい実施の形態について説明する。
［第１の実施の形態］
図１は、本考案の磁気軸受装置を、回転体の一例である直流モータに組み込んだ第１の実施の形態の全体構成図である。即ち、縦向きに配置された直流モータのロータを回転自在に支持する軸受として用いた場合であり、ロータ回転軸の上下端部の両方に本考案の磁気軸受装置を設けた場合である。
図１（Ａ）は直流モータの全体構成を説明する断面図であり、図１（Ｂ）はロータ回転軸の下端部に設けた磁気軸受装置の斜視図である。
【００２６】
図１（Ａ）に示すように、直流モータ１０は、ステータ１２（界磁）と、ステータ１２の内側に配置されたロータ１４（回転子）と、ロータ１４のロータ回転軸１６を挟む一対の整流子１８，１８と、一対の整流子１８を押圧する一対のブラシ２０，２０と、ロータ回転軸１６の上下端部を回転自在に支持する一対の磁気軸受装置２２，２２とで構成される。そして、２本のリード線２４，２４によって、一対のブラシ２０と電池２６のプラス極とマイナス極とが接続され、リード線２４の途中にＯＮ−ＯＦＦ用のスイッチ２８が設けられる。
【００２７】
なお、ステータ１２と、一対の整流子１８，１８と、一対のブラシ２０，２０と、ロータ回転軸１６の上下端部を回転自在に支持する一対の磁気軸受装置２２，２２のうちの円筒管３２及び軸受側磁石３４とは、図示しない支持フレームに支持される。また、ロータ１４と、ロータ回転軸１６と、磁気軸受装置２２のうちの回転側磁石３０とは一体物として形成され、磁気軸受装置２２から着脱可能に設けられる。
【００２８】
本実施の形態の直流モータ１０は、ステータ１２及びロータ１４に永久磁石を用いた場合であるが、固定されているステータ１２については電磁石を用いることもできる。
そして、本考案の実施の形態に係る磁気軸受装置２２は、ロータ回転軸１６に磁性体を
設けた場合と、回転軸側磁石を設けた場合との２つの態様を取ることができるが、本実施の形態では、主として回転軸側磁石を設けた場合で説明する。
【００２９】
即ち、本考案の実施の形態に係る磁気軸受装置２２は、図１（Ｂ）に示すように、ロータ回転軸１６の一方端部に設けられ、ロータ１４と共に回転する回転側磁石３０と、ロータ回転軸１６の軸芯上に配置され、回転側磁石３０を非接触で収納可能な縦向き配置の円筒管３２と、円筒管３２の周りを連続又は不連続に囲む軸受側磁石３４と、を備え、回転側磁石３０と軸受側磁石３４との対向面の極性が異極性であるように構成されている。
【００３０】
上記の構成において、回転側磁石３０はロータ１４と共に回転するため、永久磁石を使用する必要があるが、軸受側磁石３４は固定されているので永久磁石と電磁石の何れを使用することもできる。
【００３１】
なお、ロータ回転軸１６に磁性体を設けた場合は、図１の回転側磁石３０の代わりに磁石につく鉄、ニッケル、コバルト、ステンレス等の金属である磁性体（強磁性体）が設けられ、上記した円筒管３２及び軸受側磁石３４は同様であるが、磁性体に対向する軸受側磁石３４の対向面の極性はＮ極でもＳ極でもよい。
【００３２】
円筒管３２は、円筒管３２内に収納された回転側磁石３０の挙動が外部から観察できるように透明で破損しにくい硬質な材料で形成されることが好ましい。円筒管３２の具体的な材料としては、透明ガラスや透明で硬質なプラスチックであるアクリル樹脂を好適に用いることができる。
【００３３】
軸受側磁石３４は、図２（Ａ）に示すように、中心部に空洞部３６を有するリング形状に形成される。この場合、空洞部３６は円筒管３２と略同径な円筒状の空洞部３６に形成することが好ましいが、軸受側磁石３４の外形は円形に限るものではなく図２の（Ｂ）のように四角形状でもよく、その他の形状でもよい。
【００３４】
さらに、軸受側磁石３４は、円筒管３２の周りを連続して囲むことによって上記した空洞部３６を形成してもよく、図３Ａ及び図３Ｂに示すように、複数の磁石片３４Ａ，３４Ａ…で円筒管３２を不連続で囲むようにしてもよい。図３は９０度間隔で４つの磁石片３４Ａで円筒管３２を囲むように配設した場合である。この場合も、回転側磁石３０と軸受側磁石３４の４つの磁石片３４Ａとの対向面の極性が異極性であるように配置される。
【００３５】
一方、円筒管３２内に収納される回転側磁石３０は、円筒管３２内で円筒管内面に非接触で回転し易いように一般的には図３Ａに示す円板形状のものが用いられる。この場合、回転側磁石３０は円筒管３２の内面に非接触で回転可能なように、円板の直径Ｄ１は円筒管３２の内径Ｄ２よりも０ｍｍを超え、２ｍｍ以下の範囲で小さいことが好ましい。
【００３６】
また、図４に示すように、回転側磁石３０は、円板形状よりも球形状であることが一層好ましい。この場合、球形状の上半分と下半分との境界線（図４の点線Ｘ）がＮ極とＳ極との境目となる。
【００３７】
このように回転側磁石３０を球形とすることによって、ロータ１４と共に回転する回転側磁石３０が円筒管３２の内面に接触しても円板形状のときよりも接触抵抗を小さくでき、ロータ１４をスムーズに回転させることができる。
【００３８】
さらには、回転側磁石３０及び円筒管３２の内面に、滑り剤をコーティングすることが一層好ましい。これにより、回転側磁石３０と円筒管３２の内面との接触抵抗を一層小さくすることができるので、ロータ１４を一層スムーズに回転させることができる。滑り剤としては、グラファイト、二硫化モリブデン、ポリテトラフルオロエチレン等を使用することができる。
【００３９】
次に、直流モータ１０に組み込んだ本考案の磁気軸受装置２２の作用について説明する。
上記の如く構成された本考案の磁気軸受装置２２によれば、回転側磁石３０と軸受側磁石３４との対向面の極性が異なる極性となるようにして、ロータ１４の一方端部に設けられた回転側磁石３０を、軸受側磁石３４で周りを連続又は不連続に囲んだ縦向き配置の円筒管３２内に非接触で収納することにより構成した。
【００４０】
これにより、ロータ１４のロータ回転軸１６に設けられた回転側磁石３０を円筒管３２の外部から内部に収納していくと、回転側磁石３０と軸受側磁石３４とによる磁力線で形成される吸引力と反発力とがつり合う円筒管３２内の高さ位置において回転側磁石３０を浮遊状態で停止させることができる。
【００４１】
即ち、円筒管３２の周りを軸受側磁石３４により連続又は不連続に囲んで軸受側磁石３４の中心部に円筒状の空洞部３６を形成し、この空洞部３６に延設して円筒管３２を立設し、円筒管３２内に軸受側磁石３４との対向面が異なる極性の回転側磁石３０を配置することによりに、回転側磁石３０を円筒管３２内に浮遊状態で停止させることができる。
【００４２】
ちなみに、円板状の回転側磁石３０と円板状で中央に穴の開いていない軸受側磁石（図示せず）の対向面を異なる極性として近づけた場合には、回転側磁石３０と軸受側磁石（図示せず）との間に吸引力が働き、回転側磁石３０と軸受側磁石３４とは磁気力で接着するので、磁気軸受装置２２を構築することはできない。
【００４３】
しかし、本考案の磁気軸受装置２２のように、軸受側磁石３４として、中心部に空洞部３６を有する磁石を用いることにより、興味深いことに回転側磁石３０を円筒管３２内に浮遊状態で停止させることができる。
【００４４】
例えば、縦向きに配置されたロータ１４のロータ回転軸１６の上下端部のうちの上端部に本考案の磁気軸受装置２２を設けた場合には、磁気軸受装置２２の円筒管３２に回転側磁石３０を介してロータ１４が非接触で吊り下げられた状態になる。また、縦向きに配置されたロータ１４のロータ回転軸１６の上下端部のうちの下端部に本考案の磁気軸受装置２２を設けた場合には、磁気軸受装置２２の円筒管３２に回転側磁石３０を介してロータ１４が非接触で浮上した状態になる。
【００４５】
この状態で直流モータ１０のスイッチ２８をＯＮにしてロータ１４を回転させると、ロータ１４は磁気軸受装置２２の磁気力によって回転自在に支持されて回転する。この場合、ロータ１４の回転バランスが崩れてロータ回転軸１６が傾いても、回転側磁石３０が円筒管３２内に収納されていることによって大きくバランスを崩すことなない。これにより、ロータ１４を安定して回転させるための磁気軸受装置２２を構築できる。
【００４６】
なお、上記した回転側磁石３０のバランスにおいて、図１に示すように、ロータ回転軸１６の上側端に配置した磁気軸受装置２２の軸受側磁石３４と、下側端に配置した磁気軸受装置２２の軸受側磁石３４との対向する面の極性をＳ極とＮ極の異極性とした。このように、ロータ回転軸１６の上端側と下端側とに配置した軸受側磁石３４同士の対向面の極性を異極性とすることにより回転側磁石３０のバランスの崩れがなく、ロータ１４の安定回転を行うことができる。
【００４７】
したがって、本考案の磁気軸受装置２２を直流モータ１０のロータ１４の軸受として用いることで、ロータ１４の回転による軸受部分の摩耗がほとんどない軸受を構成することができるので、磁石の磁気力の面白さを学び磁石の種々の用途を考える教材や玩具として好適な磁気軸受装置２２を提供することができる。
【００４８】
上記した磁気軸受装置２２の作用の説明は、ロータ回転軸１６に回転側磁石３０を用いた場合であるが、ロータ回転軸１６に磁性体を設けた場合は、磁性体の形状は球形状であることが好ましい。
【００４９】
その理由は、磁性体の形状が円板形状のような板形状の場合、磁性体（ロータ回転軸１６に支持されていない磁性体）を水平状態にして円筒管３２の外部から内部に収納していくと、軸受側磁石３４によって円筒管３２内に形成される磁気力によって磁性体が立った状態（水平状態から垂直状態になる）で浮遊状態を形成する。
【００５０】
これにより、板形状の磁性体をロータ回転軸１６に設けた場合には、円筒管３２内において磁性体を浮遊状態で保持する磁気力以外の水平状態から垂直状態にする磁気力が働くため、球形状の磁性体に比べて回転する際のバランスが崩れ易くなる。
【００５１】
したがって、磁性体を水平状態から垂直状態にする磁気力を打ち消すような複雑な形状の磁性体形状を採用することで、磁性体の回転バランスを安定させることも可能である。
【００５２】
なお、本考案の磁気軸受装置２２は、主として、教材や玩具への適用を目的としているが、工業的に使用される実装置の磁気軸受装置としての応用も可能である。
【００５３】
また、本考案の磁気軸受装置２２は、ロータ１４のロータ回転軸１６の上下端部の少なくとも一方に設ければ、回転側磁石３０と軸受側磁石３４とによる磁力線で形成される吸引力と反発力とがつり合う円筒管３２内の高さ位置において回転側磁石３０を浮遊状態で停止させるという科学的現象を観察することができる。したがって、ロータ１４のロータ回転軸１６の上下端部の少なくとも一方に本考案の磁気軸受装置２２を設ければ科学的現象を観察できるが、ロータ１４のロータ回転軸１６の上下端部の両方に、本考案の磁気軸受装置２２を設けることによって、その科学的現象を一層明確に観察することができる。
【００５４】
［第２の実施の形態］
図５は、本考案の磁気軸受装置２２を、回転体の一例である直流モータ１０に組み込んだ第２の実施の形態の全体構成図である。
【００５５】
第２の実施の形態では、磁気軸受装置２２を、ロータ回転軸１６の一方端部に設けられ、ロータ１４と共に回転する回転側磁石３０と、ロータ回転軸１６の軸芯上に配置され、回転側磁石３０を非接触で収納可能な縦向き配置の円筒管３２と、円筒管３２の上下端部に一対設けられたリング状の軸受側磁石３４とを、を備え、回転側磁石３０と一対の軸受側磁石３４との対向面の極性が異極性であるように構成した。
【００５６】
このように、円筒管３２の上下端部にリング状の軸受側磁石３４を一対設けることによって、回転側磁石３０を円筒管３２内において一層安定に浮遊状態で停止させることができる。
なお、第２の実施の形態は、円筒管３２の上下端部に一対設けられたリング状の軸受側磁石３４を設けた以外は、第1の実施の形態と同様の好ましい態様（例えば、回転側磁石が球形状であることや滑り剤のコーティング等）を採用することができる。
【００５７】
また、第２の実施の形態の場合にも、第１の実施の形態と同様に、ロータ回転軸１６の上側端に配置した磁気軸受装置２２の軸受側磁石３４と、下側端に配置した磁気軸受装置２２の軸受側磁石３４との対向する面の極性をＳ極とＮ極の異極性とすることで回転側磁石３０のバランスの崩れがなく、ロータ１４の安定回転を行うことができる。
【００５８】
［第３の実施の形態］
図６は、本考案の磁気軸受装置２２を、回転体の一例である直流モータ１０に組み込んだ第３の実施の形態の全体構成図であり、本考案の磁気軸受装置２２をロータ回転軸１６の一方端部のみに設けた場合である。
【００５９】
図６の（Ａ）は、本考案の磁気軸受装置２２をロータ回転軸１６の上端部のみに設け、ロータ回転軸１６の下端部は図６の（Ｂ）に示すようにロータ回転軸１６の直径よりも少しだけで直径の大きな円柱状の孔（例えば０ｍｍを超え、１ｍｍ以下の範囲で直径が大きい）を有する軸受部材３８に挿入した場合である。軸受部材３８は、上記した図示しない支持部材に支持される。この場合、軸受部材３８の円柱状の孔に滑り剤をコーティングしておくことが好ましい。また、軸受部材３８は、軸受部材３８の円柱状の孔内におけるロータ回転軸１６の下端部の軸支状態が観察できるように、透明な材料で形成されることが好ましい。
【００６０】
このように、本考案の磁気軸受装置２２をロータ回転軸１６の上端部のみに設けた場合でも、上述したように、磁気軸受装置２２の円筒管３２に回転側磁石３０を介してロータ１４が非接触で吊り下げられた状態になり、この状態でロータ１４が回転する。したがって、ロータ回転軸１６の下端部はロータ１４の回転時に暴れないように支持されていれば問題なく、上記した円柱状の孔を有する軸受部材３８を用いることができる。
【００６１】
同様に、本考案の磁気軸受装置２２をロータ回転軸１６の下端部のみに設けた場合、磁気軸受装置２２の円筒管３２に回転側磁石３０を介してロータ１４が非接触で浮上した状態になる。したがって、ロータ回転軸１６の上端部に、上記した円柱状の孔を有する軸受部材３８を用いることができる。
【００６２】
なお、第３の実施の形態の場合も、第1の実施の形態と同様の好ましい態様（例えば、回転側磁石が球形状であることや滑り剤のコーティング等）を採用することができる。
また、本実施の形態では、回転体として直流モータ１０のロータ１４を用いた例で説明したが、これに限定されない。
【産業上の利用可能性】
【００６３】
本考案の磁気軸受装置は、磁石の磁気力の面白さを学び磁石の種々の用途を考える教材や玩具として好適であり、産業上の利用可能性を有する。
【符号の説明】
【００６４】
１０…直流モータ、１２…ステータ、１４…ロータ、１６…ロータ回転軸、１８…整流子、２０…ブラシ、２２…磁気軸受装置、２４…リード線、２６…電池、２８…スイッチ、３０…回転側磁石、３２…円筒管、３４…軸受側磁石、３４Ａ…磁石片、３６…空洞部、３８…軸受部材
【図１】
0003202615.tif 000003
【図２】
0003202615.tif 000004
【図３Ａ】
0003202615.tif 000005
【図３Ｂ】
0003202615.tif 000006
【図４】
0003202615.tif 000007
【図５】
0003202615.tif 000008
【図６】
0003202615.tif 000009